(57)【要約】【課題】筆記具の３点標準把持において、長時間の使用においても疲労が少なく、良好な把持感覚が得られるようにした筆記具用グリップ及び筆記具用グリップをそなえた筆記軸体を提供する。【解決手段】筆記具（１）の軸筒（２）に装着されるグリップにおいて、グリップ本体（３ａ、３ｂ、３ｃ、３ｄ、３ｅ、３ｆ）の外表面（４ａ）の周方向に、軸方向（５）よりも回転方向（６）により高い滑り止め機能を有する回転方向滑り止め部（７）と、回転方向（６）よりも軸方向（５）により高い滑り止め機能を有する軸方向滑り止め部（８）とをそなえ、軸方向滑り止め部（８）が、軸筒（２）の中心線（２ａ）に直交する第２の平面（１０）からみて斜めに形成されている。【選択図】図１
2005271347.tif 000002
【特許請求の範囲】
【請求項１】
筆記具（１）の軸筒（２）に装着されるグリップにおいて、グリップ本体（３ａ、３ｂ、３ｃ、３ｄ、３ｅ、３ｆ）の外周面（４ａ）の周方向に、軸方向（５）よりも回転方向（６）により高い滑り止め機能を有する回転方向滑り止め部（７）と、上記回転方向（６）よりも上記軸方向（５）により高い滑り止め機能を有する軸方向滑り止め部（８）とをそなえ、上記軸方向滑り止め部（８）が、上記外周面（４ａ）の周方向からみて斜めに形成されたことを特徴とする、筆記具用グリップ。
【請求項２】
上記軸方向滑り止め部（８）が、上記グリップ本体（３ａ、３ｂ、３ｃ、３ｄ、３ｅ、３ｆ）の一端部（１２ａ）又は他端部（１２ｂ）に形成されるとともに、上記外周面（４ａ）と交差する第１の平面（９ａ、９ｂ）にほぼ沿って形成された、請求項１に記載の筆記具用グリップ。
【請求項３】
上記軸方向滑り止め部（８）が、上記一端部（１２ａ）又は上記他端部（１２ｂ）に形成されるとともに、上記第１の平面（９ａ）が、上記軸筒（２）の中心線（２ａ）に直交する第２の平面（１０）から所定角度（Z）をなし、且つ、上記中心線（２ａ）と上記第１の平面（９ａ）との交点（１１）を含む平面として形成され、上記外周面（４ａ）における上記軸方向滑り止め部（８）の中央部（８ａ）から上記中心線（２ａ）をのぞむとき、上記第１の平面（９ａ）が上記第２の平面（１０）から反時計回りに所定角度（Ｚ＝１°〜４４°）をなすように形成された、請求項２に記載の筆記具用グリップ。
【請求項４】
上記軸方向滑り止め部（８）が、上記一端部（１２ａ）又は上記他端部（１２ｂ）に形成されるとともに、上記第１の平面（９ｂ）が、上記軸筒（２）の中心線（２ａ）に直交する第２の平面（１０）から所定角度（Ｚ）をなし、且つ、上記中心線（２ａ）と上記第１の平面（９ｂ）との交点（１１）を含む平面として形成され、上記外周面（４ａ）における上記軸方向滑り止め部（８）の中央部（８ａ）から上記中心線（２ａ）をのぞむとき、上記第１の平面（９ｂ）が上記第２の平面（１０）から時計回りに所定角度（Ｚ＝１°〜４４°）をなすように形成された、請求項２ないし３のいずれかに記載の筆記具用グリップ。
【請求項５】
上記軸方向滑り止め部（８）が、上記グリップ本体（３ａ、３ｂ、３ｃ、３ｄ、３ｅ、３ｆ）の一端部（１２ａ）又は他端部（１２ｂ）に形成されるとともに、上記軸筒（２）の中心線（２ａ）をその中心線とする螺線にほぼ沿って形成された、請求項１に記載の筆記具用グリップ。
【請求項６】
上記軸方向滑り止め部（８）が、上記一端部（１２ａ）又は上記他端部（１２ｂ）に形成されるとともに、上記螺線が、把持部分（Ｐ）から筆記軸先端（１ａ）に向かって右螺子の方向に沿って形成されるとともに、そのリード角が、１°〜４４°をなすように形成された、請求項５に記載の筆記具用グリップ。
【請求項７】
上記軸方向滑り止め部（８）が、上記一端部（１２ａ）又は上記他端部（１２ｂ）に形成されるとともに、上記螺線が、把持部位（Ｐ）から筆記軸先端（１ａ）に向かって左螺子の方向に沿って形成されるとともに、そのリード角が、１°〜４４°をなすように形成された、請求項５ないし６のいずれかに記載の筆記具用グリップ。
【請求項８】
上記回転方向滑り止め部（７）が、親指（２０）に接するための親指用滑り止め部（１３）と、人差し指（２１）に接するための人差し指用滑り止め部（１４）とで構成されるとともに、上記軸方向滑り止め部（８）が、中指（２２）に接するための中指用滑り止め部（１５）として構成された、請求項１ないし７のいずれかに記載の筆記具用グリップ。
【請求項９】
上記親指用滑り止め部（１３）、上記人差し指用滑り止め部（１４）及び上記中指用滑り止め部（１５）の一部ないし全部が、凹凸部（１７）よりなる、請求項１ないし８のいずれかに記載の筆記具用グリップ。
【請求項１０】
上記凹凸部（１７）の凹所に、上記グリップ本体（３ｂ）の上記外周面（４ａ）と内周面（４ｂ）とを貫通する孔部（１８ａ）が形成された、請求項９に記載の筆記具用グリップ。
【請求項１１】
上記グリップ本体（３ｄ、３ｅ、３ｆ）が弾性部材で形成されるとともに、上記親指用滑り止め部（１３）、上記人差し指用滑り止め部（１４）及び上記中指用滑り止め部（１５）の一部ないし全部が、上記軸筒（２）の径方向に突出し、上記第１の平面（９ａ、９ｂ）に直交する方向をその長手方向（Ｗ、Ｘ）とする複数の板状突起（１９）よりなる、請求項１ないし８のいずれかに記載の筆記具用グリップ。
【請求項１２】
上記複数の板状突起（１９）の隣接するものの間の凹所に、上記グリップ本体（３ｅ）の上記外周面（４ａ）と内周面（４ｂ）とを貫通する孔部（１８ｂ）が形成された、請求項１１に記載の筆記具用グリップ。
【請求項１３】
上記親指用滑り止め部（１３）と上記人差し指用滑り止め部（１４）との間に、保持位置を示す指示部（１６）が形成された、請求項１ないし１２のいずれかに記載の筆記具用グリップ。
【請求項１４】
請求項１ないし１３のいずれかに記載の筆記具用グリップ（３ａ、３ｂ、３ｃ、３ｄ、３ｅ、３ｆ）と、非弾性材料からなる筆記具（１）の軸筒（２）とを一体形成したことを特徴とする、筆記具用グリップをそなえた筆記軸体。
【請求項１５】
上記筆記具（１）のクリップが、上記筆記具用グリップ（３ａ、３ｂ、３ｃ、３ｄ、３ｅ、３ｆ）の保持位置を示す指示部を兼用するように、上記筆記具用グリップ（３ａ、３ｂ、３ｃ、３ｄ、３ｅ、３ｆ）に配設された、請求項１４に記載の筆記具用グリップをそなえた筆記軸体。
【発明の詳細な説明】
【技術分野】
【０００１】
本発明は、筆記具（スタイラス・ペン、眉墨ペンも含む。）の軸筒に装着される筆記具用グリップ及び筆記具用グリップをそなえた筆記軸体に関し、特に、その筆記具用グリップの改良に関する。
【背景技術】
【０００２】
非弾性材料で形成される筆記具１は、図１１〜図１２に示すように、親指２０と人差し指２１との又部Ａを支点、親指２０、人差し指２１、中指２２の各先端部Ｂ、Ｃ、Ｄをそれぞれ力点、紙等に接する先端Ｅを作用点としている（この持ち方を、以下、「３点標準把持」という。）。
【０００３】
この３点標準把持においては、最初の把持位置から指２０、２１、２２の各先端部Ｂ、Ｃ、Ｄが筆記軸先端１ａにずれていくと、筆記具１を持ち直さなければならず、このため長時間の使用の場合、疲労が大きくなる。
【０００４】
これに対処すべく、筆記具１の軸筒２に弾性材料のグリップ本体を装着し、筆記時の力が加わったときには、各指２０、２１、２２の把持位置が筆記軸先端に移動し、力が解除されると、復元する複数の板状突起をそなえた従来例（特許文献１）もある。
【特許文献１】特許第３１２１３１３号
【０００５】
しかし、この従来の筆記具用グリップは、回転方向６の滑りと軸方向５との滑りが異なる回転方向滑り止め部および軸方向滑り止め部を併設するものではない。
【０００６】
従って、筆運びに応じて、中指２２が軸方向５の滑りを止めている間に、親指２０と人差し指２１とが軸方向５にずれ、また元に戻るという動作と、親指２０と人差し指２１とが回転方向６の滑りを止めている間に、中指２２が回転方向６にずれ、また元に戻るという動作とを両立できない。さらに、指２０，２１，２２の各関節も疲労が大きく、良好な書き心地は得られない。
【発明の開示】
【発明が解決しようとする課題】
【０００７】
本発明は、上述の問題を解決するためのもので、把持される部分における高い滑り止め機能を向上させるとともに、指相互間の位置取りが、筆運びに応じてわずかに変化して、良好な把持感覚が得られるようにした、筆記具用グリップ及び筆記具用グリップをそなえた筆記軸体を提供することを目的とする。
【課題を解決するための手段】
【０００８】
このため、本発明の筆記具用グリップ及び筆記具用グリップをそなえた筆記軸体は、筆記具の軸筒に装着されるグリップにおいて、グリップ本体の外周面の周方向に、軸方向よりも回転方向により高い滑り止め機能を有する回転方向滑り止め部と、上記回転方向よりも上記軸方向により高い滑り止め機能を有する軸方向滑り止め部とをそなえ、上記軸方向滑り止め部が、上記外周面の周方向からみて斜めに形成されたことを特徴としている。
【０００９】
本発明の筆記具用グリップ及び筆記具用グリップをそなえた筆記軸体は、上述のごとく構成されているので、書く動作に応じて、中指が軸方向の滑りを止めている間に、親指と人差し指とが軸方向にずれ、また元に戻るという動作と、親指と人差し指とが回転方向の滑りを止めている間に、中指が回転方向にずれ、また元に戻るという動作を両立でき、特に中指の動きが円滑になる。
【発明の効果】
【００１０】
上述の構成と作用とにより、本発明の筆記具用グリップ及び筆記具用グリップをそなえた筆記軸体は、次のような効果を奏する。
【００１１】
指先が筆記具先端に滑るのを防止すべく、必要以上に力を入れることがなくなり、小さな力で必要な把持力がえられる。
【００１２】
指相互間の位置取りが、筆運びに応じてわずかに変化して、良好な把持感覚が得られる。
【００１３】
滑りの防止と良好な把持感覚とが両立するので、筆記具を持ち替えることが減り、長時間の使用においても疲労が少なくなる。
【発明を実施するための最良の形態】
【００１４】
以下、本発明の実施例を図面に基づいて説明する。  
【実施例１】
【００１５】
本発明の実施例１としての筆記具用グリップは、図１〜図３に示すように、右手用筆記具として構成されている。
【００１６】
この筆記具１の軸筒２に装着される右手用グリップ本体３ａは、硬質ゴム、合成樹脂（硬質樹脂）等の非弾性材料からほぼ円筒状に形成されており、グリップ本体３ａの外周面４ａの周方向に、軸方向５よりも回転方向６により高い滑り止め機能を有する回転方向滑り止め部７と、回転方向６よりも軸方向５により高い滑り止め機能を有する軸方向滑り止め部８とが配置されている。
【００１７】
回転方向滑り止め部７は、親指２０に接するための親指用滑り止め部１３と、人差し指２１に接するための人差し指用滑り止め部１４とで構成されている。
【００１８】
各滑り止め部１３、１４は、ほぼ同一形状をなしており、軸方向５に沿って溝を複数形成された凹凸部１７より構成されている。親指２０及び人差し指２１がそれぞれその凹凸に密着して、軸方向５にスライドしやすく、軸方向５よりも回転方向６により高い滑り止め機能を有する。
【００１９】
軸方向滑り止め部８は、中指２２に接するための中指用滑り止め部１５として構成されていて、グリップ本体３ａの一端部１２ａから他端部１２ｂにわたって形成されるとともに、外周面４ａの周方向からみて斜めに形成されている。
【００２０】
すなわち、軸方向滑り止め部８としての中指用滑り止め部１５が、外周面４ａと交差する第１の平面９ａにほぼ沿って形成されるとともに、第１の平面９ａが、軸筒２の中心線２ａに直交する第２の平面１０から所定角度Ｚをなし、且つ、中心線２ａと第１の平面９ａとの交点１１を含む平面として形成され、外周面４ａにおける軸方向滑り止め部８の中央部８ａから中心線２ａをのぞむとき、第１の平面９ａが第２の平面１０から反時計回りに所定角度Ｚ（＝１５゜）をなすように形成されている。
【００２１】
中指用滑り止め部１５は、回転方向６に沿って凹凸ないし溝を形成された凹凸部１７より構成されていて、中指２２がその凹凸に密着して、回転方向６にスライドしやすく、回転方向６よりも軸方向５により高い滑り止め機能を有する。
【００２２】
これらの各滑り止め部１３、１４、１５は、それぞれ周方向６にほぼ１２０°をなすように形成されており、  また、親指用滑り止め部１３と人差し指用滑り止め部１４との間に、保持位置を示す指示部１６が形成されていて、この指示部１６は、幅広の外周面４ａとなっていて、筆記具１を持つ際の指標となる。
【００２３】
そして、把持部分Ｐにおいて、グリップ本体３ａの横断面形状が同一であるので、初めに筆記具１を把持する際に、その位置を軸方向５にずらせた場合にも、ほぼ同じ滑り止め効果が得られる。
【００２４】
この実施例１では、筆記具１の筆記軸先端１ａを縦に動かした場合には、中指２２が軸方向５の滑りを止めている間に、親指２０と人差し指２１とが軸方向５にずれ、各指２０、２１、２２の関節を大きく屈曲させることもない。そして、筆記具の１の筆記軸先端１ａを元に戻すことにより、中指２２が軸方向５の滑りを止めている間に、親指２０と人差し指２１とが軸方向５にずれ、元に戻る。
【００２５】
また、筆記具１の筆記軸先端１ａを横に動かした場合には、親指２０と人差し指２１とが回転方向６の滑りを止めている間に、中指２２が回転方向６に斜めにずれ、各指２０、２１、２２の関節を大きく屈曲させることもない。そして、筆記具１の筆記軸先端１ａを元に戻すことにより、親指２０と人差し指２１とが回転方向６の滑りを止めている間に、中指２２が回転方向６に斜めにずれ、元に戻る。
【００２６】
さらに、筆記具１の筆記軸先端１ａを斜めに動かした場合には、縦の動きと横の動きとのベクトルの和となる。
【００２７】
この実施例１では、小さな力で必要な把持力がえられ、良好な把持感覚が得られるとともに、滑りの防止と良好な把持感覚とが両立するので、筆記具１を持ち替えることが減り、長時間の使用においても疲労が少なくなる。
【００２８】
そして、把持部分Ｐの軸径が大きいので疲れない。
【００２９】
また、実施例１の変形例としてのグリップ本体３ｂでは、図４に示すように、凹凸部１７の凹所に、グリップ本体３ｂの外周面４ａと内周面４ｂとを貫通する孔部１８ａが形成される。この場合、グリップ本体３ｂの加工がしやすく、筆記具１の軸筒２の彩色も見え、外観がよい。
【００３０】
また、実施例１の他の変形例としてのグリップ本体３ｃでは、図５に示すように、左右兼用グリップとして構成され、グリップ本体３ｃの一端部１２ａに、右手用グリップが形成され、第１の平面９ａが第２の平面１０から反時計回りに所定角度Ｚ（＝１５゜）をなすように形成されている。そして、グリップ本体３ｃの他端部１２ｂに、左手用グリップが形成され、第１の平面９ｂが第２の平面１０から時計回りに所定角度Ｚ（＝１５゜）をなすように形成されている。グリップ本体３ｃの内周面４ｂ及び軸筒２の外周面には、装着時にグリップ本体３ｃと軸筒２との回転方向６の相対的動きを規制し、且つ、軸筒２から着脱可能にするスプライン又は凹凸部が形成されている。
【００３１】
この場合、左右兼用の筆記具１となり、一旦分解しグリップ本体３ｃの先端と基端とを入れ替え再度組み合わせるだけで、右手用と左手用との交替ができるので、ボールペンなどに用いて、特に有効である。
【実施例２】
【００３２】
本発明の実施例２としての筆記具用グリップは、図６〜図８に示すように、右手用筆記具として構成されていて、図中、実施例１の筆記具用グリップと同一の符号は同一の部分を示し、同様の作用をなすので、その説明を省略する。
【００３３】
この筆記具１の軸筒２に装着される右手用グリップ本体３ｄは、ゴム（ＮＢＲ、シリコン）または合成樹脂（軟質樹脂、エラストマー樹脂）等の弾性材料からほぼ円筒状に形成されており、その外周面４ａに回転方向滑り止め部７と軸方向滑り止め部８とが配置されている。
【００３４】
回転方向滑り止め部７である親指用滑り止め部１３及び人差し指用滑り止め部１４として、径方向に突出し、長手方向を回転方向６とする複数の板状突起１９が軸方向５に等間隔で複数平行に形成されている。従って、筆記時に複数の板状突起１９に力が加わると、回転方向６には変形しにくく、軸方向５には倒伏変形しやすい。すなわち、軸方向５よりも回転方向６により高い滑り止め機能を有する。そして、力が解除されると、複数の板状突起１９は、復元する。
【００３５】
軸方向滑り止め部８は、中指用滑り止め部１５として形成されていて、グリップ本体３ｄの一端部１２ａから他端部１２ｂにわたって形成されるとともに、外周面４ａの周方向からみて斜めに形成されている。
【００３６】
すなわち、軸方向滑り止め部８としての中指用滑り止め部１５は、外周面４ａと交差する第１の平面９ａにほぼ沿って形成されるとともに、第１の平面９ａが、軸筒２の中心線２ａに直交する第２の平面１０から所定角度Ｚをなし、且つ、中心線２ａと第１の平面９ａとの交点１１を含む平面として形成され、外周面４ａにおける軸方向滑り止め部８の中央部８ａから中心線２ａをのぞむとき、第１の平面９ａが第２の平面１０から反時計回りに所定角度Ｚ＝１５゜をなすように形成されている。
【００３７】
この中指用滑り止め部１５は、径方向に突出し、第１の平面９ａに直交する方向をその長手方向Ｗとする複数の板状突起１９より構成され、複数の板状突起１９は、その長手方向Ｗに直交する方向に等間隔で複数平行に形成される。従って、筆記時に複数の板状突起１９に力が加わると、長手方向Ｗに直交する方向に倒伏して、軸方向５よりも回転方向６に大きく変形する。すなわち、回転方向６よりも軸方向５により高い滑り止め機能を有する。そして、力が解除されると、複数の板状突起１９は、復元する。
【００３８】
また、実施例２の変形例としてのグリップ本体３ｅでは、図９に示すように、複数の板状突起１９の隣接するものの間の凹所に、グリップ本体３ｅの外周面４ａと内周面４ｂとを貫通する孔部１８ｂが形成される。この場合、グリップ本体３ｅの加工がしやすく、筆記具１の軸筒２の彩色も見え、外観がよい。
【００３９】
また、実施例２の他の変形例としてのグリップ本体３ｆでは、図１０に示すように、左右兼用グリップとして構成され、グリップ本体３ｆの一端部１２ａに、右手用グリップが形成され、第１の平面９ａが第２の平面１０から反時計回りに所定角度Ｚ（＝３０゜）をなすように形成されている。そして、グリップ本体３ｆの他端部１２ｂに、左手用グリップが形成され、第１の平面９ｂが第２の平面１０から時計回りに所定角度Ｚ（＝３０゜）をなすように形成されている。
【００４０】
一端部１２ａに形成された右手用グリップとしての中指用滑り止め部１５は、径方向に突出し、第１の平面９ａに直交する方向をその長手方向Ｗとする複数の板状突起１９より構成され、他端部１２ｂに形成された左手用グリップとしての中指用滑り止め部１５は、径方向に突出し、第１の平面９ｂに直交する方向をその長手方向Ｘとする複数の板状突起１９より構成される。グリップ本体３ｆの内周面４ｂ及び軸筒２の外周面には、装着時に軸筒２との回転方向６の動きを規制し、且つ、軸筒２から着脱可能にするスプライン又は凹凸部が形成される。
【００４１】
この場合、左右兼用の筆記具１となり、一旦分解しグリップ本体３ｆの先端と基端とを入れ替え再度組み合わせるだけで、右手用と左手用との交替ができるので、ボールペンなどに用いて、特に有効である。
【００４２】
なお、実施例１及び実施例２における各グリップ本体３ａ、３ｂ、３ｄ、３ｅは、左手用筆記具に用いられるものとして構成してもよく、所定角度Ｚを第２の平面１０から時計回りにとることによって、凹凸部１７の溝ないし複数の板状突起１９が、左手用のものとして形成される。この場合、親指用滑り止め部１３と人差し指用滑り止め部１４との役割が交替する。
【００４３】
また、実施例１及び実施例２における各グリップ本体３ａ、３ｂ、３ｃ、３ｄ、３ｅ、３ｆの凹凸部１７ないし複数の板状突起１９は、適宜組み合わせて構成してもよい。
【００４４】
さらに、グリップ本体３ａ、３ｂ、３ｃ、３ｄ、３ｅ、３ｆは、回転方向滑り止め部７と軸方向滑り止め部８とを異なる材質の部材で構成してもよい。すなわち、回転方向滑り止め部７及び軸方向滑り止め部８のうちの一方を弾性部材で形成し、その他方を非弾性部材で形成してもよい。この場合、各滑り止め部７、８は、接合面において接合される。
【００４５】
そして、回転方向滑り止め部７としての親指用滑り止め部１３及び人差し指用滑り止め部１４と、軸方向滑り止め部８としての中指用滑り止め部１５とを、方向により摩擦係数の異なる部材で構成してもよい。
【００４６】
なお、グリップ本体３ａ、３ｂ、３ｃ、３ｄ、３ｅ、３ｆは、筆記具１に一体に形成してもよく、同一の材質で形成してもよい。特に、万年筆に用いられる。
【００４７】
また、指示部１６は、外周面４ａに凸状に形成してもよく、ドットライン状の凹部や三角形状でもよい。軸筒２に固定式クリップをそなえた筆記具１にあっては、指示部１６を筆記具用グリップ３ａ、３ｂ、３ｃ、３ｄ、３ｅ、３ｆに設けずに、固定式クリップが、その保持位置を示す指示部を兼用するように、筆記具用グリップ３ａ、３ｂ、３ｃ、３ｄ、３ｅ、３ｆを筆記具１に配設してもよい。この場合、親指用滑り止め部１３と人差し指用滑り止め部１４とを、一体に形成できる。
【００４８】
さらに、実施例１及び実施例２における各グリップ本体３ａ、３ｂ、３ｃ、３ｄ、３ｅ、３ｆの所定角度Ｚは、１５°ないし３０°でなくともよく、所定角度Ｚは、１°〜４４°に形成してもよい。これにより、凹凸部１７の溝によるスライド方向ないし複数の板状突起１９の倒伏方向が、より広いニーズを満たす。
【００４９】
なお、軸方向滑り止め部８は、軸筒２の中心線２ａをその中心線とする螺線にほぼ沿って形成してもよい。右手用筆記具にあっては、螺線が、軸方向５において把持部分Ｐから筆記軸先端１ａに向かって右螺子の方向に沿って形成されるとともに、そのリード角Ｙが、１°〜４４°をなすように形成される。左手用筆記具にあっては、螺線が、軸方向５において把持部位Ｐから筆記軸先端１ａに向かって左螺子の方向に沿って形成されるとともに、そのリード角Ｙが、１°〜４４°をなすように形成される。ここで、リード角Ｙとは、リード（螺線沿って螺線の中心軸線のまわりを一周するとき、軸方向にすすむ距離をいう。）をＬ、直径をｄとしたとき、ｔａｎＹ＝ Ｌ／（３．１４×ｄ）で表わされる角度である。これにより、実施例１における各グリップ本体３ａ、３ｂ、３ｃでは、凹凸部１７の溝がほぼ中指２２に沿って形成されて、中指２２の回転方向６の滑りがよくなり、より書きよくなる。また、実施例２における各グリップ本体３ｄ、３ｅ、３ｆでは、複数の板状突起１９の倒伏方向がほぼ中指２２に沿って形成されて、中指２２の回転方向６の滑りがよくなり、より書きよくなる。
【図面の簡単な説明】
【００５０】
【図１】本発明の実施例１のグリップ本体３ａを示す側面図
【図２】図１のＩＩ矢視図
【図３】グリップ本体３ａの要部断面図（図１のＩＩＩ−ＩＩＩ線に沿う断面図）
【図４】実施例１の変形例のグリップ本体３ｂを図３に対応させて示す断面図
【図５】実施例１の他の変形例のグリップ本体３ｃを図２に対応させて示す下面図
【図６】本発明の実施例２のグリップ本体３ｄを示す側面図
【図７】図６のＶＩＩ矢視図
【図８】グリップ本体３ｄの要部断面図
【図９】実施例２の変形例のグリップ本体３ｅを図８に対応させて示す断面図
【図１０】実施例２の他の変形例のグリップ本体３ｆを図７に対応させて示す下面図
【図１１】従来の筆記具の使用状態を示す斜視図
【図１２】従来のグリップ本体の使用状態を示す正面図
【符号の説明】
【００５１】
１  筆記具
１ａ  筆記軸先端
２  軸筒
２ａ  軸筒の中心線
３ａ、３ｂ、３ｃ、３ｄ、３ｅ、３ｆ  グリップ本体
４ａ  外周面
４ｂ  内周面
５  軸方向
６  回転方向（周方向）
７  回転方向滑り止め部
８  軸方向滑り止め部
８ａ 中央部
９ａ、９ｂ  第１の平面
１０  第２の平面
１１  交点
１２ａ  一端部
１２ｂ  他端部
１３  親指用滑り止め部
１４  人差し指用滑り止め部
１５  中指用滑り止め部
１６  保持位置を示す指示部
１７  凹凸部
１８ａ、１８ｂ  孔部
１９  複数の板状突起
２０  親指
２１  人差し指
２２  中指
Ａ  親指と人差し指との又部
Ｂ  親指の先端部
Ｃ  人差し指の先端部
Ｄ  中指の先端部
Ｅ  紙等に接する先端
Ｐ  把持部分
Ｗ、Ｘ  長手方向
Ｚ  所定角度
【図１】
2005271347.tif 000003
【図２】
2005271347.tif 000004
【図３】
2005271347.tif 000005
【図４】
2005271347.tif 000006
【図５】
2005271347.tif 000007
【図６】
2005271347.tif 000008
【図７】
2005271347.tif 000009
【図８】
2005271347.tif 000010
【図９】
2005271347.tif 000011
【図１０】
2005271347.tif 000012
【図１１】
2005271347.tif 000013
【図１２】
2005271347.tif 000014